(57)【要約】【課題】自動車内で携帯電話器の無線ハンズフリー使用を可能にする。【解決手段】自動車用Ｂｌｕｅｔｏｏｔｈ音声通信装置１は、シガーライタープラグ部３を備えた筐体２に、Ｂｌｕｅｔｏｏｔｈモジュール４とスピーカ５とマイクロフォン６を内蔵している。自動車用Ｂｌｕｅｔｏｏｔｈ音声通信装置をシガーライターソケットに挿し込めば、車内のＢｌｕｅｔｏｏｔｈ搭載携帯電話器との無線ネットワークが確立されて、携帯電話器の受話音はスピーカ５から拡声され、送話音はマイクロフォン６を通じて携帯電話器へ伝送される。【選択図】　図１
2004072259.tif 000002
【特許請求の範囲】
【請求項１】
自動車のシガーライターソケットへ挿入されるシガーライタープラグ部を備えた筐体に、Ｂｌｕｅｔｏｏｔｈモジュールと、Ｂｌｕｅｔｏｏｔｈモジュールへ接続したマイクロフォンならびにスピーカと、シガーライターソケット電圧をＢｌｕｅｔｏｏｔｈモジュールの電源電圧に変換して供給するＤＣ／ＤＣレギュレータとを内蔵した自動車用Ｂｌｕｅｔｏｏｔｈ音声通信装置。
【請求項２】
上記筐体の前面に一つまたは複数のシガーライターソケットを設けて、自動車の電源を他の電子機器へ分配供給できるようにした請求項１記載の自動車用Ｂｌｕｅｔｏｏｔｈ音声通信装置。
【請求項３】
音声を認識してコマンドデータへ変換する音声認識機能と、テキストデータを音声へ変換する音声合成機能とを備えた請求項１または２記載の自動車用Ｂｌｕｅｔｏｏｔｈ音声通信装置。
【発明の詳細な説明】
【０００１】
【発明の属する技術分野】
この発明は、Ｂｌｕｅｔｏｏｔｈを用いた音声通信装置に関するものであり、特に自動車用Ｂｌｕｅｔｏｏｔｈ音声通信装置に関するものである。
【０００２】
【従来の技術及び発明が解決しようとする課題】
自動車内で携帯電話器を使用するためにハンズフリーキットが市販されているが、ハンズフリーキットを構成するマイクロフォン及びスピーカと携帯電話器とをコードで接続しなければならず、接続が面倒であるとともにコードが邪魔になるという欠点がある。
【０００３】
そこで、携帯電話器等とマイクロフォン及びスピーカとを接続するコードをなくし、上述した欠点を解消するために解決すべき技術的課題が生じてくるのであり、本発明は上記課題を解決することを目的とする。
【０００４】
【課題を解決するための手段】
この発明は、上記目的を達成するために提案するものであり、自動車のシガーライターソケットへ挿入されるシガーライタープラグ部を備えた筐体に、Ｂｌｕｅｔｏｏｔｈモジュールと、Ｂｌｕｅｔｏｏｔｈモジュールへ接続したマイクロフォンならびにスピーカと、シガーライターソケット電圧をＢｌｕｅｔｏｏｔｈモジュールの電源電圧に変換して供給するＤＣ／ＤＣレギュレータとを内蔵した自動車用Ｂｌｕｅｔｏｏｔｈ音声通信装置を提供するものである。
【０００５】
また、上記筐体の前面に一つまたは複数のシガーライターソケットを設けて、自動車の電源を他の電子機器へ分配供給できるようにした自動車用Ｂｌｕｅｔｏｏｔｈ音声通信装置を提供するものである。
【０００６】
また、上記構成に加えて、音声を認識してコマンドデータへ変換する音声認識機能と、テキストデータを音声へ変換する音声合成機能とを備えた自動車用Ｂｌｕｅｔｏｏｔｈ音声通信装置を提供するものである。
【０００７】
【発明の実施の形態】
以下、この発明の実施の一形態を図に従って詳述する。図１は、自動車用Ｂｌｕｅｔｏｏｔｈ音声通信装置１を示し、自動車に備えられているシガーライターソケットに挿し込んで使用するために、筐体２の後部にシガーライタープラグ部３が形成されていて、筐体２にＢｌｕｅｔｏｏｔｈモジュール４を内蔵し、前面にスピーカ５を設け、その上部にマイクロフォン６を設けている。また、図２に示すように、筐体２の前面に一つまたは複数のシガーライターソケット７を設け、シガーライタープラグ部３から自動車用Ｂｌｕｅｔｏｏｔｈ音声通信装置１の電源部とシガーライターソケット７とに電源を分配供給するようにして、シガーライターまたは他の自動車用電子機器のシガーライタープラグを接続できるようにしてもよい。
【０００８】
図３は自動車用Ｂｌｕｅｔｏｏｔｈ音声通信装置１のブロック図であり、Ｂｌｕｅｔｏｏｔｈモジュール４は、マイクロコンピュータ８、受信部１０、送信部９、受信部１０と送信部９のアンテナ接続を切換えるセレクタ１１を備えている。マイクロフォン６が出力する音声信号はＡ／Ｄコンバータ１２によりディジタル変換されてマイクロコンピュータ８へ入力され、マイクロコンピュータ８が出力するディジタル音声信号はＤ／Ａコンバータ１３によりアナログ変換されてスピーカ５へ出力される。自動車のシガーライターソケットから供給されるＤＣ１２Ｖ電源は、ＤＣ／ＤＣレギュレータ１４により所定の電圧に降圧されてＢｌｕｅｔｏｏｔｈモジュール４に供給される。自動車用Ｂｌｕｅｔｏｏｔｈ音声通信装置１はＢｌｕｅｔｏｏｔｈ規格準拠プロファイルに対応していて、Ｂｌｕｅｔｏｏｔｈ搭載携帯電話器と通信を行うことができ、Ｉ／Ｏコントローラ１５を介して入力されるボタン１６の信号により携帯電話器の通話・切断操作を行うようにしている。
【０００９】
周知のように、Ｂｌｕｅｔｏｏｔｈは２．４ＧＨｚ周波数帯を使用してコンピュータや携帯電話器や家電機器、或いは車載電子機器など種々の機器を無線接続して双方向通信を行うための規格であり、通信制御を行うホストとこれに１つ乃至７つのスレーブを無線接続して、パケットベースのデータ通信とリアルタイムの音声通信を行えるように構成されている。２００１年現在の仕様書Ｖｅｒ．１．１においては、下りデータ伝送速度が７２１ｋｂｐｓ、上りは５７．６ｋｂｐｓ（最大）で、これとは別に６４ｋｂｐｓの音声チャネルが３チャネル設けられている。
【００１０】
図４に示すように、自動車用Ｂｌｕｅｔｏｏｔｈ音声通信装置１をシガーライターソケット１７に挿し込めば、自動車用Ｂｌｕｅｔｏｏｔｈ音声通信装置１がオンするとともにＢｌｕｅｔｏｏｔｈの電力制御機能により低消費電力モードに入る。車内にＢｌｕｅｔｏｏｔｈ搭載携帯電話器１８（以下、単に携帯電話器１８という）を持ち込むと、自動ネットワーク探索機能によりネットワークが確立され、相互の距離に応じて送受信出力が自動制御される。
【００１１】
携帯電話器１８に呼び出し信号が着信すると、自動車用Ｂｌｕｅｔｏｏｔｈ音声通信装置１へ着信音が伝送され、スピーカ５を通じて着信音が流れる。自動車用Ｂｌｕｅｔｏｏｔｈ音声通信装置１のボタン１６を押すと、携帯電話器１８へ接続制御信号が送信されて通話状態となり、受話音がスピーカ５から流れ、送話音はマイクロフォン６により収音されて携帯電話器１８へ伝送され、携帯電話器１８から相手方へ送信される。
【００１２】
図５は他の使用形態を示し、Ｂｌｕｅｔｏｏｔｈを搭載したカーオーディオシステム１９を用いて、カーオーディオシステム１９と自動車用Ｂｌｕｅｔｏｏｔｈ音声通信装置１と車内に持ち込んだ携帯電話器１８によりワイヤレスネットワークを形成しており、カーオーディオシステム１９側の設定により、携帯電話器１８の受話音声がカーオーディオシステム１９のスピーカ１９ａから再生されるようにしている。これにより、カーオーディオシステム１９のヘッドユニットで受話音量や音質の調節を行うことができる。また、カーオーディオシステム１９から音声データを受信して自動車用Ｂｌｕｅｔｏｏｔｈ音声通信装置１のスピーカ５から音楽を再生することもできる。
【００１３】
また、自動車用Ｂｌｕｅｔｏｏｔｈ音声通信装置１に音声認識エンジンを搭載し、話者の声を音声認識エンジンによりコマンドデータに変換して伝送する機能を持たせることにより、図６に示すように、他のＢｌｕｅｔｏｏｔｈ搭載機器、例えば、携帯電話器１８、カーオーディオシステム１９、カーナヴィゲーションシステム２０や自動車の電子制御部２１にコマンドデータを無線伝送することができ、自動車の運転中に手を用いることなく、音声指令によりこれらの機器の各種機能を操作できる。また、自動車用Ｂｌｕｅｔｏｏｔｈ音声通信装置１に備えた音声合成機能により、これらの機器から出力されたテキストデータを音声に変換してスピーカ５から出力させたり、カーナヴィゲーションシステム２０のディスプレイにテキスト表示させたりして、例えば電子メールの内容や地図検索結果、自動車の動作状況などを音やディスプレイ表示によって確認することなどが可能である。
【００１４】
尚、この発明は上記の実施形態に限定するものではなく、この発明の技術的範囲内において種々の改変が可能であり、この発明がそれらの改変されたものに及ぶことは当然である。
【００１５】
【発明の効果】
以上説明したように、本発明の自動車用Ｂｌｕｅｔｏｏｔｈ音声通信装置は、シガーライターソケットに装着して携帯電話器などと無線通信するので、従来のハンズフリーキットとは異なり、ハンズフリーキットと携帯電話器をコードで接続する必要がなく、取り扱いが簡便化するとともに、携帯電話器のみならず他の車載機器の操作も行うことが可能であり、操作性が著しく向上する。
【図面の簡単な説明】
【図１】本発明の自動車用Ｂｌｕｅｔｏｏｔｈ音声通信装置の一形態を示し、（ａ）は正面図、（ｂ）は側面図である。
【図２】自動車用Ｂｌｕｅｔｏｏｔｈ音声通信装置の他の実施形態を示す解説図。
【図３】自動車用Ｂｌｕｅｔｏｏｔｈ音声通信装置のブロック図。
【図４】自動車用Ｂｌｕｅｔｏｏｔｈ音声通信装置を用いたネットワーク構成図。
【図５】自動車用Ｂｌｕｅｔｏｏｔｈ音声通信装置を用いたネットワーク構成図。
【図６】自動車用Ｂｌｕｅｔｏｏｔｈ音声通信装置を用いたネットワーク構成図。
【符号の説明】
１　　　　　自動車用Ｂｌｕｅｔｏｏｔｈ音声通信装置
２　　　　　筐体
３　　　　　シガーライタープラグ部
４　　　　　Ｂｌｕｅｔｏｏｔｈモジュール
５　　　　　スピーカ
６　　　　　マイクロフォン
７　　　　　シガーライターソケット
８　　　　　マイクロコンピュータ
９　　　　　送信部
１０　　　　　受信部
１１　　　　　セレクタ
１２　　　　　Ａ／Ｄコンバータ
１３　　　　　Ｄ／Ａコンバータ
１４　　　　　ＤＣ／ＤＣレギュレータ
１５　　　　　Ｉ／Ｏコントローラ
１６　　　　　ボタン
１７　　　　　シガーライターソケット
１８　　　　　携帯電話器
【図１】
2004072259.tif 000003
【図２】
2004072259.tif 000004
【図３】
2004072259.tif 000005
【図４】
2004072259.tif 000006
【図５】
2004072259.tif 000007
【図６】
2004072259.tif 000008